(57)【要約】【課題】  追記型の光ディスクを有効に使用することができ、ユーザの経済的負担を抑えることができる光ディスク装置を提供する。【解決手段】  光ディスク装置１は、書き換え型の光ディスク１０がセットされたときに、リードイン領域に記録されているデータの一部が破損している等の原因で、記録および再生ができない状態であるかどうかを判定する。この判定において、記録および再生ができない状態であると判定すると、この光ディスク１０の内周側に位置するパワーキャリブレーション領域の先頭からデータ領域の一部を含む連続した領域に対して、レーザ光を照射してこの領域に記録されているデータを物理的に消去した後、この光ディスクのフォーマットを行う。【選択図】  図１
2006066030.tif 000002
【特許請求の範囲】
【請求項１】
本体にセットされている光ディスクにレーザ光を照射し、該光ディスクにデータを記録する記録手段を備えた光ディスク装置において、
本体にセットされている光ディスクについてフォーマットの実行が指示されたとき、該光ディスクが書き換え型の光ディスクであるかどうかを判定するディスク種別判定手段と、
前記ディスク種別判定手段が書き換え型の光ディスクであると判定した場合に、該光ディスクのフォーマットに先立って、この光ディスクの内周側に位置するパワーキャリブレーション領域の先頭からデータ領域の一部を含む連続した領域に対して、レーザ光を照射してこの領域に記録されているデータを消去するイレースを行うイレース手段と、
前記ディスク判別手段が書き換え型の光ディスクでないと判定した場合、または前記イレース手段によるイレースの完了後に、前記光ディスクについてフォーマットを行うフォーマット手段と、を備え、
さらに、ディスク種別判定手段は、  装置本体に光ディスクがセットされたときに、該光ディスクが書き換え型の光ディスクであるかどうかを判定し、
前記ディスク状態判定手段は、前記ディスク種別判定手段が装置本体にセットされた光ディスクが書き換え型の光ディスクであると判別した場合に、この光ディスクが記録および再生の行えない状態であるかどうかを判定し、
前記イレース手段は、前記ディスク状態判定手段が装置本体にセットされた光ディスクが記録および再生の行えない状態であると判定したときに、その旨を出力し、その後本体にセットされている光ディスクについてフォーマットの実行が指示された場合に、この光ディスクの内周側に位置するパワーキャリブレーション領域の先頭からデータ領域の一部を含む連続した領域に対して、レーザ光を照射してこの領域に記録されているデータを消去するイレースを行う光ディスク装置。
【請求項２】
本体にセットされている光ディスクにレーザ光を照射し、該光ディスクにデータを記録する記録手段を備えた光ディスク装置において、
本体にセットされている光ディスクについてフォーマットの実行が指示されたとき、該光ディスクが書き換え型の光ディスクであるかどうかを判定するディスク種別判定手段と、
前記ディスク種別判定手段が書き換え型の光ディスクであると判定した場合に、該光ディスクのフォーマットに先立って、この光ディスクの内周側に位置するパワーキャリブレーション領域の先頭からデータ領域の一部を含む連続した領域に対して、レーザ光を照射してこの領域に記録されているデータを消去するイレースを行うイレース手段と、
前記ディスク判別手段が書き換え型の光ディスクでないと判定した場合、または前記イレース手段によるイレースの完了後に、前記光ディスクについてフォーマットを行うフォーマット手段と、を備えた光ディスク装置。
【請求項３】
本体にセットされている光ディスクにレーザ光を照射し、該光ディスクにデータを記録する記録手段を備えた光ディスク装置において、
装置本体に光ディスクがセットされたとき、該光ディスクが書き換え型の光ディスクであるかどうかを判定するディスク種別判定手段と、
前記ディスク種別判定手段が書き換え型の光ディスクであると判別した場合に、この光ディスクが記録および再生の行えない状態であるかどうかを判定するディスク状態判定手段と、
前記ディスク状態判定手段が記録および再生の行えない状態であると判定したときに、この光ディスクの内周側に位置するパワーキャリブレーション領域の先頭からデータ領域の一部を含む連続した領域に対して、レーザ光を照射してこの領域に記録されているデータを消去するイレースを行うイレース手段と、
前記イレース手段によるイレースの完了後に、前記光ディスクについてフォーマットを行うフォーマット手段と、を備えた光ディスク装置。
【請求項４】
前記イレース手段は、前記ディスク状態判定手段が記録および再生の行えない状態であると判定したときに、その旨を出力し、その後本体にセットされている光ディスクについてフォーマットの実行が指示された場合に前記イレースを実行する手段ある請求項３に記載の光ディスク装置。
【発明の詳細な説明】
【技術分野】
【０００１】
この発明は、ＣＤやＤＶＤ等の光ディスクにデータを記録する光ディスク装置に関する。
【背景技術】
【０００２】
従来、ＣＤやＤＶＤ等の光ディスクにデータを記録する光ディスク装置が一般に普及している。データの記録が行える光ディスクには、記録したデータを書き換えることができない追記型（ＣＤーＲ、ＤＶＤ−Ｒ等）と、記録したデータを書き換えることができる書き換え型（ＣＤ−ＲＷ、ＤＶＤ−ＲＷ等）とがある。
【０００３】
データの記録が行える光ディスクには、内周側から、記録時に照射するレーザ光の最適パワーを検出するためのパワーキャリブレーション領域（ＰＣＡ）、再生時に装置側で必要な記録管理情報にかかるデータを記録する記録管理領域（ＲＭＡ）、フォーマット形式、データの記録形式等のコントロールデータを記録するリードイン領域（Ｌｅａｄ−ｉｎ  ａｒｅａ）、映像や音声等にかかるデータを記録するデータ領域（Ｄａｔａ  ａｒｅａ）、データ領域の終わりを示すデータを記録するリードアウト領域（Ｌｅａｄ−ｏｕｔ
ａｒｅａ）がこの順に形成される。
【０００４】
また、書き換え型の光ディスクに対してデータを記録しているときに、振動等によってピックアップヘッドがその時点の記録位置よりも内周側に移動し、このときに、すでに記録していたデータを書き換えるジャンプエラーが発生した場合に、エラー発生位置よりもある程度内周側に戻った位置から再度データの記録をやり直すことで、ジャンプエラーが発生した場合に、記録動作を停止させることなく、この記録動作を最後まで継続して行う光ディスク装置が特許文献１で提案されている。
【特許文献１】特開２００２−２３０７７７号公報
【発明の開示】
【発明が解決しようとする課題】
【０００５】
しかしながら、書き換え型の光ディスクは、リードイン領域に記録されているデータの一部が記録時の外乱光等によって破損することがある。この場合、光ディスク装置側で光ディスクのフォーマット形式や、データ領域に記録されているデータの記録形式等を判別することができず、この光ディスクのデータ領域に対するデータの記録や再生が行えなくなる。このような状態になった書き換え型の光ディスクは、フォーマットをやり直せば新たなデータの記録用として使用できるのであるが、記録管理領域やリードイン領域にデータが残っていることが原因で、フォーマットを実行しても失敗することがあった。この場合、この追記型の光ディスクはデータの記録、再生だけでなく、フォーマットをやり直すこともできないので、新たなデータの記録用の光ディスクとしても使用することができない。言い換えれば、ユーザはこのような状態になった光ディスクを使用することができない。このため、ユーザの経済的負担が大きく、また追記型の光ディスクを有効に使用できないという問題があった。
【０００６】
この発明の目的は、追記型の光ディスクを有効に使用することができ、ユーザの経済的負担を抑えることができる光ディスク装置を提供することにある。
【課題を解決するための手段】
【０００７】
この発明の光ディスク装置は、上記課題を解決するために、以下の構成を備えている。
【０００８】
（１）本体にセットされている光ディスクにレーザ光を照射し、該光ディスクにデータを記録する記録手段を備えた光ディスク装置において、
本体にセットされている光ディスクについてフォーマットの実行が指示されたとき、該光ディスクが書き換え型の光ディスクであるかどうかを判定するディスク種別判定手段と、
前記ディスク種別判定手段が書き換え型の光ディスクであると判定した場合に、該光ディスクのフォーマットに先立って、この光ディスクの内周側に位置するパワーキャリブレーション領域の先頭からデータ領域の一部を含む連続した領域に対して、レーザ光を照射してこの領域に記録されているデータを消去するイレースを行うイレース手段と、
前記ディスク判別手段が書き換え型の光ディスクでないと判定した場合、または前記イレース手段によるイレースの完了後に、前記光ディスクについてフォーマットを行うフォーマット手段と、を備えている。
【０００９】
この構成では、ディスク種別判定手段がセットされている光ディスクについてフォーマットの実行が指示されたとき、この光ディスクが追記型の光ディスクであるかどうかを判定する。この判定において追記型の光ディスクであると判定されると、イレース手段がこの光ディスクの内周側に位置するパワーキャリブレーション領域の先頭からデータ領域の一部を含む連続した領域に対して、レーザ光を照射してこの領域に記録されているデータを物理的に消去する。その後、フォーマット手段がこの光ディスクのフォーマットを行う。このように、リードイン領域に記録されているデータの一部が記録時の外乱光等によって破損した追記型の光ディスクであっても、フォーマットを行う前に、記録管理領域やリードイン領域に残っているデータが物理的に消去されるので、この光ディスクのフォーマットができないという事態が生じる可能性が抑えられる。したがって、追記型の光ディスクを有効に使用することができ、ユーザの経済的負担を抑えることができる。
【００１０】
（２）本体にセットされている光ディスクにレーザ光を照射し、該光ディスクにデータを記録する記録手段を備えた光ディスク装置において、
装置本体に光ディスクがセットされたとき、該光ディスクが書き換え型の光ディスクであるかどうかを判定するディスク種別判定手段と、
前記ディスク種別判定手段が書き換え型の光ディスクであると判別した場合に、この光ディスクが記録および再生の行えない状態であるかどうかを判定するディスク状態判定手段と、
前記ディスク状態判定手段が記録および再生の行えない状態であると判定したときに、この光ディスクの内周側に位置するパワーキャリブレーション領域の先頭からデータ領域の一部を含む連続した領域に対して、レーザ光を照射してこの領域に記録されているデータを消去するイレースを行うイレース手段と、
前記イレース手段によるイレースの完了後に、前記光ディスクについてフォーマットを行うフォーマット手段と、を備えている。
【００１１】
この構成では、ディスク状態判定手段が光ディスクがセットされたときに、リードイン領域に記録されているデータの一部が破損している等の原因で、記録および再生ができない状態であるかどうかを判定する。この判定において、記録および再生ができない状態であると判定されると、イレース手段がこの光ディスクの内周側に位置するパワーキャリブレーション領域の先頭からデータ領域の一部を含む連続した領域に対して、レーザ光を照射してこの領域に記録されているデータを物理的に消去する。その後、フォーマット手段がこの光ディスクのフォーマットを行う。したがって、上記（１）と同様の効果を奏する。
【００１２】
（３）前記イレース手段は、前記ディスク状態判定手段が記録および再生の行えない状態であると判定したときに、その旨を出力し、その後本体にセットされている光ディスクについてフォーマットの実行が指示された場合に前記イレースを実行する手段ある。
【００１３】
この構成では、ディスク状態判定手段が記録および再生ができない状態であると判定した場合に、その旨を出力することで、この光ディスクのフォーマットをやり直すかどうかについて、ユーザの意志を確認することができる。したがって、ユーザの意に反して、光ディスクがフォーマットされるという事態が起こるのを防止できる。
【発明の効果】
【００１４】
この発明によれば、リードイン領域に記録されているデータの一部が記録時の外乱光等によって破損した追記型の光ディスクであっても、フォーマットを行う前に、記録管理領域やリードイン領域に残っているデータが物理的に消去されるので、この光ディスクのフォーマットができないという事態が生じる可能性が抑えられる。したがって、追記型の光ディスクを有効に使用することができ、ユーザの経済的負担を抑えることができる。
【発明を実施するための最良の形態】
【００１５】
以下、この発明の実施形態である光ディスク装置について説明する。
【００１６】
図１は、この発明の実施形態である光ディスク装置の主要部の構成を示すブロック図である。この実施形態の光ディスク１は、装置本体の動作を制御する制御部２と、本体にセットされているＣＤやＤＶＤ等の光ディスク１０に対してデータの記録や、記録されているデータの読取を行う記録／読取部３と、光ディスク１０に記録するデータのエンコードや、光ディスク１０から読み取ったデータをデコードを行うデータ処理部４と、入力された映像や音声等をディジタルデータに変換し光ディスク１０に記録するデータとしてデータ処理部４に入力する入力信号処理部５と、データ処理部４でデコードされたデータに基づく再生信号を生成し出力する再生信号生成部６と、装置本体に対する入力操作を受け付ける操作部７と、を備えている。
【００１７】
記録／読取部３は、光ディスク１０にレーザ光を照射してデータの記録や、光ディスク１０からの反射光を検出してこの光ディスク１０に記録されているデータを読み取るピックアップヘッドを有している。記録／再生部３は光ディスク１０から読み取ったデータをデータ処理部４に入力する。データ処理部４は、記録／再生部３から入力されたデータをデコードし、再生信号生成部６に入力する。再生信号生成部６はデータ処理部４から入力されたデータ（デコードされたデータ）に基づく映像や音声等の再生信号を生成し、出力する。この再生信号はテレビ受像機等の装置に入力され、この装置において再生信号に基づく映像や音声が出力される。
【００１８】
また、入力信号処理部５には光ディスク１０に記録する映像や音声のアナログ信号が入力される。入力信号処理部５は、この入力されたアナログ信号をディジタル信号に変換しデータ処理部４に入力する。データ処理部４は、入力信号処理部５から入力されたディジタル信号によるデータを光ディスク１０に記録するデータとしてエンコードし、このエンコードしたデータを記録／再生部３に入力する。記録／再生部３は、データ処理部４から入力されたデータ（エンコードされたデータ）に基づいて光ディスク１０に照射するレーザ光のパワーを制御する。
【００１９】
なお、光ディスク１０に対するデータの記録や、光ディスク１０に記録されているデータの読み取りにかかる動作については周知であるので、ここでは説明を省略する。
【００２０】
データの記録が行える光ディスク１０には、記録したデータを書き換えることができない追記型（ＣＤーＲ、ＤＶＤ−Ｒ等）と、記録したデータを書き換えることができる書き換え型（ＣＤ−ＲＷ、ＤＶＤ−ＲＷ等）とがある。
【００２１】
データの記録が行える光ディスク１０には、図２に示すように、内周側から、記録時に照射するレーザ光の最適パワーを検出するためのパワーキャリブレーション領域１１（ＰＣＡ１１）、再生時に装置側で必要な記録管理情報にかかるデータを記録する記録管理領域１２（ＲＭＡ１２）、フォーマット形式、データの記録形式等のコントロールデータを記録するリードイン領域１３（Ｌｅａｄ−ｉｎ  ａｒｅａ１３）、映像や音声等にかかるデータを記録するデータ領域１４（Ｄａｔａ  ａｒｅａ１４）、データ領域１４の終わりを示すデータを記録するリードアウト領域１５（Ｌｅａｄ−ｏｕｔ  ａｒｅａ１５）がこの順に形成される。この実施形態の光ディスク装置１は、書き換え型の光ディスク１０をフォーマットするときに、パワーキャリブレーション領域１１の先頭から、記録管理領域１２、リードイン領域１３、およびデータ領域１４の一部を含む連続した領域に対して記録されているデータを物理的に消去するイレース処理を行うことがある。このイレース処理が行われるデータ領域１４のサイズは、データ領域１４全体に対してわずかであり、これは、リードイン領域１３に記録されているデータを完全に消去するために加えた領域である。
【００２２】
次に、この実施形態の光ディスク装置１の動作について説明する。図３は、この実施形態の光ディスク装置において、光ディスクがセットされたときの動作を示すフローチャートである。また、本体に光ディスク１０がセットされている状態で本体の電源がオンされたときも、この図３に示す処理を実行する。光ディスク装置１は、本体にセットされている光ディスク１０が書き換え型の光ディスク１０であるかどうかを判定する（ｓ１）。セットされている光ディスク１０が書き換え型であれば、リードイン領域１３に記録されているデータの一部が破損している等の理由で、データの記録、および記録されているデータの再生の行えない光ディスク１０であるかどうかを判定する（ｓ２）。
【００２３】
光ディスク装置１は、ｓ２で記録および再生が行えない光ディスク１０であると判定すると、記録および再生が行えない光ディスク１０であることを示すメッセージを操作部７に設けられた表示器（不図示）に表示する（ｓ３）。また、このとき、この光ディスク１０についてフォーマットをやり直すかどうかの入力を要求するメッセージも表示器に表示する。これにより、ユーザは、光ディスク装置１にセットされている光ディスク１０が記録および再生できない状態であることを認識する。
【００２４】
光ディスク装置１は、ここでフォーマットをやり直す旨の入力が行われると（ｓ４）、この光ディスク１０の内周側に位置するパワーキャリブレーション領域１１の先頭から、記録管理領域１２、リードイン領域１３、およびデータ領域１４の一部を含む連続した領域に対して、適当なパワーのレーザ光を照射し、この領域に記録されているデータを物理的に消去するイレース処理を行う（ｓ５）。ｓ５では、光ディスク１０に記録されているデータを消去する、所謂消去パワーのレーザ光を光ディスク１０に連続的に照射する。光ディスク装置１は、ｓ５にかかるイレース処理の完了後に、光ディスク１０に対するフォーマット処理を行う（ｓ６）。光ディスク装置１は、ｓ６にかかるフォーマット処理を完了すると、この動作を終了し、本体に対して入力があれば、その入力に応じた処理を行う。例えば、光ディスク１０に対するデータの記録処理、光ディスク１０に記録されているデータの再生処理、光ディスク１０のイジェクトやセットにかかる処理を行う。光ディスク装置１に対する入力は、操作部７に設けられたキー操作や、図示していないリモコン装置の操作で行える。
【００２５】
このように、この実施形態の光ディスク装置１は、セットされた光ディスク１０がリードイン領域１３に記録されているデータの一部が破損している等の理由で、記録および再生が行えない状態であれば、その旨を示すメッセージを表示器に表示するので、この光ディスク１０が記録および再生できない状態であることをユーザに認識させることができる。また、このときにフォーマットをやり直すかどうかをユーザに確認しているので、ユーザの意に反して、光ディスク１０がフォーマットされてしまうという事態が起こることもない。さらに、フォーマットを実行する前に、パワーキャリブレーション領域１１の先頭から、記録管理領域１２、リードイン領域１３、およびデータ領域１４の一部を含む連続した領域に対して、記録されているデータを消去するイレース処理を行い、その後にフォーマット処理を行うので記録管理領域１２やリードイン領域１３にデータが残っていることが原因で、フォーマットができないという事態が起こることもない。したがって、追記型の光ディスク１０を有効に使用することができ、ユーザの経済的負担が抑えられる。
【００２６】
また、光ディスク装置１は、ｓ４で光ディスク１０のフォーマットを行わない旨の入力が行われると、セットされている光ディスク１０を放出するイジェクト処理を行い（ｓ７）、この動作を完了する。したがって、ユーザは記録および再生が行えない光ディスク１０を光ディスク装置１から取り出すための操作を行う必要がない。
【００２７】
また、光ディスク装置１は、ｓ１でセットされた光ディスク１０が書き換え型の光ディスク１０でないと判定した場合（追記型や再生専用型であると判定した場合）、またはｓ２で記録または再生の少なくとも一方が行える書き換え型の光ディスク１０であると判定した場合も、この動作を終了し、本体に対して入力があれば、その入力に応じた処理を行う。
【００２８】
なお、ｓ２で記録または再生の少なくとも一方が行えないと判定した場合には、その判定結果、すなわち記録または再生ができないこと、を表示器に表示するようにしてもよい。
【００２９】
次に、この発明の別の実施形態について説明する。この実施形態の光ディスク装置１も図１に示した構成である。この実施形態の光ディスク装置１は、光ディスク１０のフォーマットの実行が指示されたときに、図４に示す処理を実行する。図４は、この実施形態の光ディスク装置におけるフォーマット動作を示すフローチャートである。光ディスク装置１は、本体に光ディスク１０がセットされているかどうかを判定する（ｓ１１）。光ディスクがセットされていなければ、その旨を示すメッセージを表示器に表示し（ｓ１２）、光ディスク１０がセットされるのを待つ（ｓ１３）。
【００３０】
光ディスク装置１は、本体にセットされている光ディスク１０が書き換え型の光ディスク１０であるかどうかを判定する（ｓ１４）。光ディスク装置１は、セットされている光ディスク１０が書き換え型であれば、リードイン領域１３に記録されているデータの一部が破損している等の理由で、データの記録、および記録されているデータの再生が行えない光ディスク１０であるかどうかを判定する（ｓ１５）。光ディスク装置１は、ｓ１５でこの光ディスク１０が記録および再生ができない状態であると判定すると、内周側に位置するパワーキャリブレーション領域１１の先頭から、記録管理領域１２、リードイン領域１３、およびデータ領域１４の一部を含む連続した領域に対して、適当なパワーのレーザ光を照射し、この領域に記録されているデータを物理的に消去するイレース処理を行う（ｓ１６）。ｓ１６では、上実施形態で説明したｓ５と同様に、光ディスク１０に記録されているデータを消去する、所謂消去パワーのレーザ光を光ディスク１０に連続的に照射する。光ディスク装置１は、ｓ１６にかかるイレース処理の完了後に、光ディスク１０に対するフォーマット処理を行う（ｓ１７）。光ディスク装置１は、ｓ１７にかかるフォーマット処理を完了すると、この動作を終了し、本体に対して入力があれば、その入力に応じた処理を行う。
【００３１】
なお、ｓ１４で書き換え型でない光ディスク１０（追記型の光ディスク）であると判定した場合、またはｓ１５で記録または再生の少なくとも一方が行える状態であると判定すると、ｓ１６のイレース処理を行うことなく、ｓ１７でフォーマット処理を実行する。
【００３２】
このように、この実施形態の光ディスク装置１は、本体に対してセットされている光ディスク１０についてフォーマットの指示があったときに、その光ディスク１０が書き換え型の光ディスク１０であり、且つデータの記録および再生が行えない状態であるとき、上記実施形態の光ディスク装置１と同様に、フォーマットを実行する前に、パワーキャリブレーション領域１１の先頭から、記録管理領域１２、リードイン領域１３、およびデータ領域１４の一部を含む連続した領域に対して、記録されているデータを消去するイレース処理を行った後に、フォーマットを行うので記録管理領域１２やリードイン領域１３にデータが残っていることが原因で、フォーマットができないという事態が生じるのを防止できる。したがって、追記型の光ディスクを有効に使用することができ、ユーザの経済的負担が抑えられる。
【図面の簡単な説明】
【００３３】
【図１】この発明の実施形態である光ディスク装置の主要部の構成を示すブロック図である。
【図２】光ディスクに形成される記録領域を示す図である。
【図３】この実施形態の光ディスク装置において、光ディスクがセットされたときの動作を示すフローチャートである。
【図４】この発明の別の実施形態である光ディスク装置におけるフォーマット動作を示すフローチャートである。
【符号の説明】
【００３４】
１−光ディスク装置
２−制御部
３−記録／読取部
４−データ処理部
５−入力信号処理部
６−再生信号生成部
７−操作部
１０−光ディスク
１１−パワーキャリブレーション領域
１２−記録管理領域
１３−リードイン領域
１４−データ領域
１５−リードアウト領域
【図１】
2006066030.tif 000003
【図２】
2006066030.tif 000004
【図３】
2006066030.tif 000005
【図４】
2006066030.tif 000006